(57)【要約】【課題】ドラムの軸方向の厚みが薄くなるウインドレギュレータを提供することを課題とする。【解決手段】ケーブルたるみ取り機構をドラム５９から上部ガイド部材６５間のケーブル６９ａに係合する上部ケーブル係合部材７３，基端側がドラム５９が設けられたベース６０上でドラム６０以外の部分に設けられ、先端部側に上部ケーブル係合部材７３が設けられ、上部ケーブル係合部材７３を介してケーブル６９ａを押す上部ばね材からなる上部たるみ取り機構７１と、上部たるみ機構７１と同一の構成で、ドラム５９から下部ガイド部材６７間のケーブル６９ｂを押す下部ばね材からなる下部たるみ取り機構８１とで構成する。【選択図】図１
2010024699.tif 000002
【特許請求の範囲】
【請求項１】
ドアパネルの上部に設けられる上部ガイド部材と、
ドアパネルの下部に設けられる下部ガイド部材と、
前記上部ガイド部材と前記下部ガイド部材との間に設けられたドラムと、
ドラムに巻回され、前記ドラムから前記上部ガイド部材，前記下部ガイド部材を介して前記ドラムに戻るケーブルと、
前記ケーブルに取り付けられ、ウインドガラスが取り付けられたブラケットと、
前記ドラムから前記上部ガイド部材間のケーブル、前記ドラムから前記下部ガイド部材間のケーブルを押して、ケーブルのたるみを取るケーブルたるみ取り機構と、
を有するウインドレギュレータにおいて、
前記ケーブルたるみ取り機構は、
前記ドラムから前記上部ガイド部材間のケーブルに係合する上部ケーブル係合部材，基端側が前記ドラムが設けられたベース上で前記ドラム以外の部分に設けられ、先端部側に前記上部ケーブル係合部材が設けられ、前記上部ケーブル係合部材を介して前記ケーブルを押す上部ばね材からなる上部たるみ取り機構と、
前記ドラムから前記下部ガイド部材間のケーブルに係合する下部ケーブル係合部材，基端側が前記ドラムが設けられたベース上で前記ドラム以外の部分に設けられ、先端部側に前記下部ケーブル係合部材が設けられ、前記下部ケーブル係合部材を介して前記ケーブルを押す下部ばね材からなる下部たるみ取り機構と、
からなることを特徴とするウインドレギュレータ。
【請求項２】
前記ドラムから前記上部ガイド部材間のケーブル、前記ドラムから前記下部ガイド部材間のケーブルの前記ベースと平行な平面上の形状は、「く」字形であり、
前記上部たるみ取り機構の上部ばね材、前記下部たるみ取り機構の下部ばね材の前記ベースと平行な平面上の形状も、前記ケーブルの「く」字形と同じ向きの「く」字形であることを特徴とする請求項１記載のウインドレギュレータ。
【請求項３】
前記上部ケーブル係合部材は、前記ドラムから前記上部ガイド部材間のケーブルの中間部に係合し、
前記下部ケーブル係合部材は、前記ドラムから前記下部ガイド部材間のケーブルの中間部に係合することを特徴とする請求項１または２記載のウインドレギュレータ。
【請求項４】
中間部がコイル部、該コイル部の一方の端部から直線状に伸びる第１腕部、前記コイル部の他方の端部から直線状に伸びる第２腕部からなるねじりコイルばねの前記コイル部を前記ドラム以外のベース上に、中心軸が前記ドラムの回転軸と平行となるように設け、
前記第１腕部を前記上部ばね材とし、
前記第２腕部を前記下部ばね材とし、
前記上部ガイド部材へ向かうケーブルの位置と、前記上部ばね材の位置とが、前記ドラムの回転軸方向において一方の側にあり、
前記下部ガイド部材へ向かうケーブルの位置と、前記下部ばね材の位置とが、前記ドラムの回転軸方向において他方の側にあることを特徴とする請求項１乃至３のいずれかに記載のウインドレギュレータ。
【発明の詳細な説明】
【技術分野】
【０００１】
本発明は、ドアパネルの上部に設けられる上部ガイド部材と、ドアパネルの下部に設けられる下部ガイド部材と、前記上部ガイド部材と前記下部ガイド部材との間に設けられたドラムと、ドラムに巻回され、前記ドラムから前記上部ガイド部材，前記下部ガイド部材を介して前記ドラムに戻るケーブルと、前記ケーブルに取り付けられ、ウインドガラスが取り付けられたブラケットと、前記ドラムから前記上部ガイド部材間のケーブル、前記ドラムから前記下部ガイド部材間のケーブルを押して、ケーブルのたるみを取るケーブルたるみ取り機構と、を有するウインドレギュレータに関する。
【背景技術】
【０００２】
図６を用いてウインドレギュレータを説明する。このウインドレギュレータはドアのインナパネルとアウタパネルとの間の空間に設けられる。図において、ドアのインナパネルには、上下方向（図示しないウインドガラスの開閉方向）に沿ってガイド１が設けられている。ガイド１の上部には、上部ガイド部材（プーリー）３が、ガイド１の下部には、下部ガイド部材（プーリ）５が設けられている。
【０００３】
ガイド１には、図示しないウインドガラスが取り付けられるブラケット１１が移動可能に係合している。
上部ガイド部材３と下部ガイド部材５との間にはドラム７が設けられている。
【０００４】
このドラム７には、ケーブル９が巻回されている。このケーブル９はドラム７から上部ガイド部材３，下部ガイド部材５を介してドラム７に戻っている。
ケーブル９には、前述したブラケット１１が取り付けられている。
【０００５】
そして、ドラム７から上部ガイド部材３間のケーブル９ａと、ドラム７から下部ガイド部材５間のケーブル９ｂとを押して、ケーブル９のたるみを取るケーブルたるみ取り機構１３が設けられている。
【０００６】
ここで、ケーブルたるみ取り機構１３を説明する。
ドラム７の端面上に、ねじりコイルばね１５のコイル部１５ａが設けられている。このねじりコイルばね１５の一方の端部には、直線状に伸びる上部ばね材１５ｂが形成され、他方の端部には、直線状に伸びる下部ばね材１５ｃが形成されている。
【０００７】
上部ばね材１５ｂの先端部側には、ドラム７から上部ガイド部材３間のケーブル９ａに係合する上部ケーブル係合部材１７が設けられている。下部ばね材１５ｃの先端側には、ドラム７から下部ガイド部材５のケーブル９ｂに係合する下部ケーブル係合部材１９が設けられている。そして、ねじりコイルばね１５の上部ばね材１５ｂは、上部ケーブル係合部材１７を介してケーブル９ａを押し、下部ばね材１５ｃは、下部ケーブル係合部材１９を介してケーブル９ｂを押すように設定されている。よって、上部ばね材１５ｂと上部ケーブル係合部材１７とで、上部たるみ機構が形成され、下部ばね材１５ｃと下部ケーブル係合部材１９とで、下部たるみ機構が形成されている。
【０００８】
また、ドラム７から上部ケーブル係合部材１７間のケーブル、ドラム７から下部ケーブル係合部材１９間のケーブルの形状は、「く」字形であり、上部たるみ取り機構の上部ばね材１５ｂ、下部たるみ取り機構の下部ばね材１５ｃの形状は、ケーブルの「く」字形と逆向きの「く」字形である。
【０００９】
このような構成のウインドレギュレータの作動を説明する。ドラム７が回転駆動されると、ケーブル９が移動し、ブラケット１１がガイド１に沿って移動し、ウインドガラスが開閉する（例えば、特許文献１参照）。
【特許文献１】特開平３−１７２４８８号公報（第１−第３図）
【発明の開示】
【発明が解決しようとする課題】
【００１０】
図６に示す構成のウインドレギュレータでは、ねじりコイルばね１５がドラム７の端面上に設けられているので、ウインドレギュレータのドラムの軸方向の厚みが厚くなる問題点がある。
【００１１】
本発明は、上記問題点に鑑みてなされたもので、その課題は、ドラムの軸方向の厚みが薄くなるウインドレギュレータを提供することにある。
【課題を解決するための手段】
【００１２】
請求項１に係る発明は、ドアパネルの上部に設けられる上部ガイド部材と、ドアパネルの下部に設けられる下部ガイド部材と、前記上部ガイド部材と前記下部ガイド部材との間に設けられたドラムと、ドラムに巻回され、前記ドラムから前記上部ガイド部材，前記下部ガイド部材を介して前記ドラムに戻るケーブルと、前記ケーブルに取り付けられ、ウインドガラスが取り付けられたブラケットと、前記ドラムから前記上部ガイド部材間のケーブル、前記ドラムから前記下部ガイド部材間のケーブルを押して、ケーブルのたるみを取るケーブルたるみ取り機構と、を有するウインドレギュレータにおいて、前記ケーブルたるみ取り機構は、前記ドラムから前記上部ガイド部材間のケーブルに係合する上部ケーブル係合部材，基端側が前記ドラムが設けられたベース上で前記ドラム以外の部分に設けられ、先端部側に前記上部ケーブル係合部材が設けられ、前記上部ケーブル係合部材を介して前記ケーブルを押す上部ばね材からなる上部たるみ取り機構と、前記ドラムから前記下部ガイド部材間のケーブルに係合する下部ケーブル係合部材，基端側が前記ドラムが設けられたベース上で前記ドラム以外の部分に設けられ、先端部側に前記下部ケーブル係合部材が設けられ、前記下部ケーブル係合部材を介して前記ケーブルを押す下部ばね材からなる下部たるみ取り機構と、からなることを特徴とするウインドレギュレータである。
【００１３】
前記ドラムを回転させると前記ケーブルが移動し、前記上部ガイド部材と前記下部ガイド部材とを結ぶ線分の他方の側に位置する前記ケーブルに取り付けられたブラケットが移動し、ブラケットに設けられたウインドガラスが上下方向、即ち開閉方向に移動する。
【００１４】
ケーブルたるみ機構の上部ばね材は前記上部ケーブル係合部材を介して前記ケーブルを押すことにより、また、下部ばね材は前記下部ケーブル係合部材を介して前記ケーブルを押すことによりケーブルのたるみを取る。
【００１５】
請求項２に係る発明は、前記ドラムから前記上部ガイド部材間のケーブル、前記ドラムから前記下部ガイド部材間のケーブルの前記ベースと平行な平面上の形状は、「く」字形であり、前記上部たるみ取り機構の上部ばね材、前記下部たるみ取り機構の下部ばね材の前記ベースと平行な平面上の形状も、前記ケーブルの「く」字形と同じ向きの「く」字形であることを特徴とする請求項１記載のウインドレギュレータである。
【００１６】
請求項３に係る発明は、前記上部ケーブル係合部材は、前記ドラムから前記上部ガイド部材間のケーブルの中間部に係合し、前記下部ケーブル係合部材は、前記ドラムから前記下部ガイド部材間のケーブルの中間部に係合することを特徴とする請求項１または２記載のウインドレギュレータである。
【００１７】
請求項４に係る発明は、中間部がコイル部、該コイル部の一方の端部から直線状に伸びる第１腕部、前記コイル部の他方の端部から直線状に伸びる第２腕部からなるねじりコイルばねの前記コイル部を前記ドラム以外のベース上に、中心軸が前記ドラムの回転軸と平行となるように設け、前記第１腕部を前記上部ばね材とし、前記第２腕部を前記下部ばね材とし、前記上部ガイド部材へ向かうケーブルの位置と、前記上部ばね材の位置とが、前記ドラムの回転軸方向において一方の側にあり、前記下部ガイド部材へ向かうケーブルの位置と、前記下部ばね材の位置とが、前記ドラムの回転軸方向において他方の側にあることを特徴とする請求項１乃至３のいずれかに記載のウインドレギュレータである。
【発明の効果】
【００１８】
請求項１−請求項５に係る発明によれば、ケーブルたるみ取り機構の上部ばね材，下部ばね材の基端側は前記ドラムが設けられたベース上で前記ドラム以外の部分に設けられているので、ウインドレギュレータのドラムの軸方向の厚みが薄くなる。
【００１９】
請求２に係る発明によれば、前記ドラムから前記上部ガイド部材間のケーブル、前記ドラムから前記下部ガイド部材間のケーブルの前記ベースと平行な平面上の形状は、「く」字形であり、前記上部たるみ取り機構の上部ばね材、前記下部たるみ取り機構の下部ばね材の前記ベースと平行な平面上の形状も、前記ケーブルの「く」字形と同じ向きの「く」字形であることにより、上部ケーブル係合部材、下部ケーブル係合部材はケーブルに対して略直交する方向で押すことができ、ケーブルを効率的に押すことができる。
【００２０】
上部ケーブル係合部材，下部ケーブル係合部材をドラム近傍のケーブルに係合させた場合、ドラムが回転するとケーブルはドラムの軸方向に移動しながら繰出されたり、巻き取られたりするので、ケーブルと上部ケーブル係合部材，下部ケーブル係合部材の摺接面積が広くなる。逆に、上部ケーブル係合部材，下部ケーブル係合部材を上部ガイド部材，下部ガイド部材近傍のケーブルに係合させた場合、ケーブルを押す力が弱くなる。請求項３に係る発明は、前記上部ケーブル係合部材は、前記ドラムから前記上部ガイド部材間のケーブルの中間部に係合し、前記下部ケーブル係合部材は、前記ドラムから前記下部ガイド部材間のケーブルの中間部に係合することにより、ドラム回転時のケーブルと上部ケーブル係合部材，下部ケーブル係合部材との摺接面積を減らすと共に、ケーブルを押す荷重を適切にできる。
【００２１】
請求項４に係る発明によれば、中間部がコイル部、該コイル部の一方の端部から直線状に伸びる第１腕部、前記コイル部の他方の端部から直線状に伸びる第２腕部からなるねじりコイルばねの前記コイル部を前記ドラム以外のベース上に、中心軸が前記ドラムの回転軸と平行となるように設け、前記第１腕部を前記上部ばね材とし、前記第２腕部を前記下部ばね材とし、前記上部ガイド部材へ向かうケーブルの位置と、前記上部ばね材の位置とが、前記ドラムの回転軸方向において一方の側にあり、前記下部ガイド部材へ向かうケーブルの位置と、前記下部ばね材の位置とが、前記ドラムの回転軸方向において他方の側にあることにより、ドラムの回転軸方向の上部ばね材，下部ばね材とケーブルとのずれ量（オフセット量）が少なくなり、ケーブルを効率的に押すことができる。
【発明を実施するための最良の形態】
【００２２】
最初に、図２、図３用いて、本形態例のウインドレギュレータの全体構成を説明する。図２はアウタパネルを取り外したドアを外側から見た図、図３は図２に示すウインドレギュレータを裏側から見た図である。
【００２３】
図２に示すように、ドア５１のドアパネル５３はインナパネル５５と、インナパネル５５と空間を介して対向する図示しないアウタパネルとからなっている。インナパネル５５とアウタパネルとの間の空間に、ウインドレギュレータ５７が設けられる。また、インナパネル５５には、ウインドレギュレータ等の機構をインナパネル５５とアウタパネルとの間の空間に挿入するためのサービスホール５５ａが形成されている。
【００２４】
次に、ウインドレギュレータ５７は、ドラム５９と、ドラム５９とを駆動するモータ６１からなり、インナパネル５５の高さ方向の中間部に取り付けられるウインドレギュレータ本体６３を有している。インナパネル５５の上部には、上部ガイド部材６５が取り付けられ、インナパネル５５の下部には、下部ガイド部材６７が取り付けられる。
【００２５】
上部ガイド部材６５と下部ガイド部材６７との間に、ドラム５９が位置するようにウインドレギュレータ本体６３は設けられる。
ケーブル６９は、ドラム５９に巻回され、ドラム５９から出て上部ガイド部材６５，下部ガイド部材６７に係合し、ドラム５９に戻る。そして、ケーブル６９には、ウインドガラス７０が取り付けられるブラケット７２が取り付けられている。
【００２６】
本形態例のウインドレギュレータ本体６３には、上部たるみ取り機構７１と、上部たるみ取り機構７１と同じ構成の下部たるみ取り機構８１とが設けられている。
次に、図１、図４、図５を用いて上部たるみ取り機構７１と、下部たるみ取り機構８１とを説明する。なお、上部たるみ取り機構７１と、下部たるみ取り機構８１とは同じ構成である。図１は形態例の発明部分を示す図、図４は図２のＡ部分の拡大図、図５は図１のＤ方向矢視図である。
【００２７】
これらの図に示すように、上部たるみ取り機構７１，下部たるみ取り機構８１は、ケーブル６９が挿通する穴７３ａ，８３ａを有し、ケーブル６９が摺動可能に係合する上部ケーブル係合部材７３，下部ケーブル係合部材８３と、基端部側はウインドレギュレータ本体６３のドラム５９が設けられたベース６０のドラム５９以外の部分に取り付けられた直線状の上部ばね材７５，下部ばね材８５とからなっている。そして、上部ケーブル係合部材７３，下部ケーブル係合部材８３を介してケーブル６９を張る方向に付勢することにより、ドラム５９，上部ガイド部材６５間のケーブル６９，ドラム５９，下部ガイド部材６７間のケーブル６９のたるみを取るものである。
【００２８】
また、図２，図３に示すように、上部ケーブル係合部材７３は、ドラム５９から上部ガイド部材６５間のケーブル６９ａの中間部に係合し、下部ケーブル係合部材８３は、ドラム５９から下部ガイド部材６７間のケーブル６９ｂの中間部に係合するように設けられている。
【００２９】
次に、本形態例では、図１に示すように、中間部がコイル部９３、コイル部９３の一方の端部から直線状に伸びる第１腕部、コイル部９３の他方の端部から直線状に伸びる第２腕部からなるねじりコイルばね９１のコイル部９３をベース６０上に、中心軸がドラム５９の回転軸Ｏと平行となるように設けている。
【００３０】
そして、第１腕部を上部たるみ取り機構の上部ばね材７５とし、第２腕部を下部たるみ取り機構の下部ばね材８５とした。
更に、このねじりコイルばね９１は下記のように設定されている。
【００３１】
(1) 図５に示すように、上部ガイド部材６５へ向かうケーブル６９ａの位置と、上部ばね材７５の位置とが、ドラム５９の回転軸Ｏ方向において一方の側にあり、下部ガイド部材６７へ向かうケーブル６９ｂの位置と、下部ばね材８５の位置とが、ドラム５９の回転軸Ｏ方向において他方の側にあるようにした。
【００３２】
(2) 図１に示すように、ドラム５９から上部ガイド部材６５間のケーブル６９ａ、ドラム５９から下部ガイド部材６７間のケーブル６９ｂのベース６０と平行な平面上の形状は、「く」字形（逆「く」字形）であり、上部たるみ取り機構７１の上部ばね材７５、下部たるみ取り機構８１の下部ばね材８５のベース６０と平行な平面上の形状も、ケーブル６９の「く」字形と同じ向きの「く」字形（（逆「く」字形））となるようにした。
【００３３】
次に、上部たるみ取り機構７１，下部たるみ取り機構８１のばね材７５，８５と、ケーブル係合部材７３，８３との取り付け構造を説明する。上部たるみ取り機構７１と、下部たるみ取り機構８１とは同じ構成なので、図４を用いて上部たるみ取り機構７１側で説明する。
【００３４】
上部たるみ取り機構７１の上部ばね材７５と、ケーブル係合部材７３との取付け構造は、ばね材７５が挿通する穴７７ａが形成され、ばね材７５の周面が係合し、ばね材７５の長手方向（図４における矢印Ｂ方向）と直交する平面上のばね材７５の移動を禁止する周面係合部７７と、ばね材７５の先端部が折り曲げられて形成された折り曲げ部７５ａと、ケーブル係合部材７３に設けられ、ドアパネル５３の厚み方向（図４において矢印Ｃ方向）と交差するように配置されたばね材７５の折り曲げ部７５ａが係合する穴７９ａが形成され、ばね材７５の長手方向（矢印Ｂ方向）を中心軸とする回転と、ばね材７５の長手方向の移動を禁止するばね材先端部係合部７９とからなっている。
【００３５】
次に、上記構成の作動を説明する。モータ６１を駆動して、ドラム５９を回転させるとケーブル６９が移動し、上部ガイド部材６５と下部ガイド部材６７とを結ぶ線分の他方の側に位置するケーブルに取り付けられたブラケット７２が移動し、ブラケット７２に設けられたウインドガラス７０が上下方向、即ち開閉方向に移動する。
【００３６】
このような構成によれば、以下のような効果が得られる。
(1)  ケーブルたるみ取り機構の上部ばね材７５，下部ばね材８５の基端側はドラム５９が設けられたベース６０上でドラム５９以外の部分に設けられているので、ウインドレギュレータのドラム５９の軸方向の厚みが薄くなる。
【００３７】
(2) ドラム５９から上部ガイド部材６５間のケーブル６９ａ、ドラム５９から下部ガイド部材６７間のケーブル６９ｂのベース６０と平行な平面上の形状は、「く」字形（逆「く」字形）であり、上部たるみ取り機構７１の上部ばね材７５、下部たるみ取り機構８１の下部ばね材８５のベース６０と平行な平面上の形状も、ケーブル６９の「く」字形と同じ向きの「く」字形（（逆「く」字形））となるようにしたことにより、上部ケーブル係合部材７３、下部ケーブル係合部材８３はケーブル６９に対して略直交する方向で押すことができ、ケーブル６９を効率的に押すことができる。
【００３８】
(3) 上部ケーブル係合部材７３，下部ケーブル係合部材８３をドラム５９近傍のケーブルに係合させると、ドラム５９が回転するとケーブル６９はドラム５９の軸方向に移動しながら繰出されたり、巻き取られたりするので、ケーブル６９と上部ケーブル係合部材７３，下部ケーブル係合部材８３の摺接面積が広くなる。
【００３９】
逆に、上部ケーブル係合部材７３，下部ケーブル係合部材８３を上部ガイド部材６５，下部ガイド部材６７近傍のケーブル６９に係合させた場合、ケーブル６９を押す力が弱くなる。本形態例では、上部ケーブル係合部材７３は、ドラム５９から上部ガイド部材６５間のケーブル６９ａの中間部に係合し、下部ケーブル係合部材８３は、ドラム５９から下部ガイド部材６７間のケーブル６９ｂの中間部に係合するように設けられていることにより、ドラム５９回転時のケーブル６９と上部ケーブル係合部材７３，下部ケーブル係合部材８３との摺接面積を減らすと共に、ケーブル６９を押す荷重を適切にできる。
【００４０】
(4) 上部ガイド部材６５へ向かうケーブル６９ａの位置と、上部ばね材７５の位置とが、ドラム５９の回転軸Ｏ方向において一方の側にあり、下部ガイド部材６７へ向かうケーブル６９ｂの位置と、下部ばね材８５の位置とが、ドラム５９の回転軸Ｏ方向において他方の側にあるようにしたことにより、ドラム５９の回転軸方向の上部ばね材７５，下部ばね材８５とケーブル６９とのずれ量（オフセット量）が少なくなり、ケーブル６９を効率的に押すことができる。
【図面の簡単な説明】
【００４１】
【図１】形態例の発明部分を示す図である。
【図２】アウタパネルを取り外したドアを外側から見た図である。
【図３】図２に示すウインドレギュレータを裏側から見た図である。
【図４】図２のＡ部分の拡大図である。
【図５】図１のＤ方向矢視図である。
【図６】従来のウインドレギュレータを説明する図である。
【符号の説明】
【００４２】
５９  ドラム
６５  上部ガイド部材
６７  下部ガイド部材
６９  ケーブル
７３  上部ケーブル係合部材
７５  上部ばね材
８３  下部ケーブル係合部材
８５  下部ばね材
【図１】
2010024699.tif 000003
【図２】
2010024699.tif 000004
【図３】
2010024699.tif 000005
【図４】
2010024699.tif 000006
【図５】
2010024699.tif 000007
【図６】
2010024699.tif 000008